(57)【要約】【課題】  透光性の遊技盤の摩耗や汚れに対処する。【解決手段】  透光性の遊技盤本体１１、透光性のクリア部材１２及び透光性のレール部１３とで遊技盤１０を構成し、これらを組立てた状態と互いに分離された状態とにできるから、例えば使用に伴って汚れたり摩耗したクリア部材１２だけを新品と交換することができる。勿論、レール部１３も交換できる。遊技盤面の摩耗や汚れに対してはクリア部材１２の交換で対処でき、遊技盤１０全体を交換する必要がないのできわめて経済的かつ省資源である。【選択図】  図３
2006020940.tif 000002
【特許請求の範囲】
【請求項１】
透光性の遊技盤本体と、該遊技盤本体の背後に配置された表示装置とを備える弾球遊技機において、
前記遊技盤本体の前面に密接配置される透光性の被覆板と、
遊技領域の外縁となるガイドレールが設けられており、前記被覆板を前記遊技盤本体とで挟む位置に配されるレール部とを設けて、
前記被覆板を交換可能とした
ことを特徴とする弾球遊技機。
【請求項２】
請求項１記載の弾球遊技機において、
前記遊技盤本体又は前記被覆板には、入賞球の移動経路を遊技者の視線から遮るための遮光部が設けられている
ことを特徴とする弾球遊技機。
【発明の詳細な説明】
【技術分野】
【０００１】
本発明は、弾球遊技機の技術分野に属する。
【背景技術】
【０００２】
透光性の遊技盤と、遊技盤の背後に配置された表示装置とを備える遊技装置が、特公平７−２４７０３号公報（特許文献１）に開示されている。また、特許第３１１４９６８号公報（特許文献２）には、透光性の遊技盤の背後に電気的装飾装置（ランプや表示装置）を配した弾球遊技機が開示されている。
【特許文献１】特公平７−２４７０３号公報
【特許文献２】特許第３１１４９６８号公報
【発明の開示】
【発明が解決しようとする課題】
【０００３】
特許文献２によれば、遊技盤は光透過性を有する合成樹脂製の基盤で形成され（段落０００５）、透光性の遊技盤は、透明な合成樹脂製フィルムからなる表面層と当該遊技盤の正面側に現われる絵柄を印刷した印刷層とを光透過性を有する合成樹脂製の裏打層の上に積層してなる化粧板を、上記基盤の正面側に接合して構成することができる（段落０００６）。また、上記化粧板は、表面層を透明なナイロンフィルムで、裏打層をポリエチレンテレフタレート（ＰＥＴ）フィルムでそれぞれ形成し、両フィルムの間に上記印刷層を挟んだ積層体として構成することができるとの記載もある（段落０００７）。
【０００４】
ところで、このように構成された透光性の遊技盤においては、長期間使用されると遊技球の流下経路などに錆が付着したり摩耗などによって汚れてしまうと予想されるが、特許文献１、２ともに遊技盤面の汚れについての対策は開示されていない。
【課題を解決するための手段】
【０００５】
請求項１記載の弾球遊技機は、透光性の遊技盤本体と、該遊技盤本体の背後に配置された表示装置とを備える弾球遊技機において、前記遊技盤本体の前面に密接配置される透光性の被覆板と、遊技領域の外縁となるガイドレールが設けられており、前記被覆板を前記遊技盤本体とで挟む位置に配されるレール部とを設けて、前記被覆板を交換可能としたので、遊技盤面の摩耗や汚れに対しては被覆板の交換で対処できる。遊技盤全体を交換する必要がないのできわめて経済的かつ省資源である。
【０００６】
なお、被覆板として硬質樹脂や汚れの付着しにくい材料を使用すれば、被覆板の長寿命化（交換サイクルの長期化）につながる。
請求項２記載の弾球遊技機は、請求項１記載の弾球遊技機において、前記遊技盤本体又は前記被覆板には、入賞球の移動経路を遊技者の視線から遮るための遮光部が設けられているので、入賞装置（入賞口）に入球後の遊技球（入賞球）の移動経路が遊技者に見えた場合には遊技者が混乱する可能性があるが、そうした不都合を避けることができる。また、入賞球の移動経路が遊技者に見えるということは、いわゆるゴトを行い易くするおそれがあるが、入賞球の移動経路を隠せばこの問題も発生しない。
【０００７】
遮光部は遊技盤本体又は被覆板の一部を不透明に（例えば着色）してもよいし、不透明なフィルム等を接着してもよい。
なお、入賞球の移動経路のすべてを遊技者の視線から遮ることまでは要さず、相対的に遊技者の視線に入りやすい部分だけを見えなくしたり、例えば遊技上の興趣を高める目的などで一部を見えるようにする等も可能である。
【発明を実施するための最良の形態】
【０００８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１、図２に示すように、弾球遊技機の一種であるパチンコ機１は、公知のパチンコ機と同様の外枠２、前面枠３、ガラス枠４、上皿５、下皿６、発射ハンドル７、灰皿８等を備えている。
【０００９】
ガラス枠４の背後には遊技盤１０が配されているが、その構造は図３に示すように、遊技盤本体１１、被覆板に該当するクリア部材１２及びレール部１３の３槽構造となっている。
【００１０】
遊技盤本体１１は透明な合成樹脂（例えばアクリル樹脂、ポリカーボネート）にて形成されている。
遊技盤本体１１の中央部には区画枠１４によって囲まれた（遊技球が進入できない）中央表示域１５が設けられ、その左右にゲート１６が取り付けられている。
【００１１】
ゲート１６の横にはサイド遮光部１７、１８が配されている。サイド遮光部１７、１８は着色された樹脂板で不透明である。サイド遮光部１７、１８には普通入賞口２１が取付けられており、サイド遮光部１７、１８を遊技盤本体１１にビス止めすることで普通入賞口２１が遊技盤本体１１に装着されている。
【００１２】
また、区画枠１４の下方でサイド遮光部１７、１８の下端にわたる部分には、サイド遮光部１７、１８と同様に着色、不透明な樹脂板である下遮光部１９が配されている。下遮光部１９には普通入賞口２２、チューリップ式の可変入賞装置２３及びアタッカー式の大入賞装置２４が取り付けられている。これら普通入賞口２２、可変入賞装置２３及び大入賞装置２４も、普通入賞口２１と同様、下遮光部１９を遊技盤本体１１にビス止めすることで遊技盤本体１１に装着されている。
【００１３】
普通入賞口２１、２２、可変入賞装置２３及び大入賞装置２４がサイド遮光部１７、１８又は下遮光部１９に取り付けられているので、これらに入賞した遊技球の移動経路は遮光部１７、１８、１９によって隠されてしまい、遊技者には見えなくなる。
【００１４】
さらに、下遮光部１９の下方には、アウト穴２５が設けられた金属板２６が取り付けられている。
なお、遊技盤本体１１には入賞球及びアウト球を背面側に誘導するための穴２７が設けられている（図８参照）。
【００１５】
また、遊技盤本体１１には、区画枠１４（中央表示域１５）、サイド遮光部１７、１８及び下遮光部１９を避けて、多数の遊技釘２８が立設されている。遊技釘２８は周知のものと同様に金属製（例えば真鍮）で、基部が遊技盤本体１１に埋設されて固定されており、いわゆる釘調整が可能である。
【００１６】
クリア部材１２は透明な合成樹脂（例えばアクリル樹脂、ポリカーボネート）製の薄板で、各遊技釘２８に対応する多数の釘穴３１、ゲート１６に対応するゲート穴３２、区画枠１４に対応する中央穴３３、サイド遮光部１７、１８、下遮光部１９及び金属板２６に対応する一連穴３４が設けられている。但し、釘穴１は必ずしも遊技釘２８の１本毎ではなく、図４に例示するように、１対１の対応もあれば（ａ）、複数本に対して１つの釘穴３１で対応する場合もある（ｂ、ｃ）。
【００１７】
レール部１３は合成樹脂の成形品で透明でも不透明でも構わない。また板状のベース４１と渦状のガイドレール４２とが設けられている。ガイドレール４２の内側には、補強用として金属板等を装着してもよい。
【００１８】
ベース４１の外形（アウトライン）は、クリア部材１２のそれとほぼ対応している。また、ガイドレール４２の内周（上部を除く）は、サイド遮光部１７、１８及び下遮光部１９の外縁に沿った円弧状で、クリア部材１２の一連穴３４の円弧状の部分とほぼ整合する。
【００１９】
これにより、遊技盤本体１１、クリア部材１２及びレール部１３を重ね合わせると、図１に示すとおり、ガイドレール４２の内側に、遊技盤本体１１に装着された各部（区画枠１４、中央表示域１５、ゲート１６、サイド遮光部１７、１８、下遮光部１９、アウト穴２５等）が収まる（ガイドレール４２の内側に遊技領域４３が形成される。）。
【００２０】
遊技盤本体１１、クリア部材１２及びレール部１３を重ね合わせて遊技盤１０とする手順は図９に示すように、レール部１３をクリア部材１２に重ね（ａ）、この重なり合った２部材を遊技盤本体１１に重ねて、これら３部材を連結する（ｂ〜ｃ）。この連結は、図示しない留め具の軸をレール部１３に設けられた貫通穴４５及びクリア部材１２に設けられた貫通穴４６に通して、その先端部を遊技盤本体１１に設けられた取付穴４７に嵌着することで行われる（貫通穴４５、４６、取付穴４７は図３参照）。また、留め具を抜けばこれら３部材を分離できる。
【００２１】
遊技盤１０は、図５〜７に示すように外枠２に嵌め込まれ、外枠２に取付けられた支持部材５３（図５参照）に背面を当接させた状態で図５、６に示すように締め具５１によって固定されている。また、遊技盤１０の背後には液晶表示装置６０が配されており、こちらは外枠２の背面側から支持部材５３に当接させられた状態で締め具５２によって固定されている。なお、締め具５１、５２は共に支持部材５３に取り付けられている。
【００２２】
遊技盤１０と液晶表示装置６０との間には、支持部材５３によって、図８に示すとおいの間隙が形成されており、その隙間部分には、入賞球及びアウト球を回収、排出するための球樋５４が配されている。また、遊技盤１０（可変入賞装置２３、大入賞装置２４、球検出センサ、電飾類）のための配線（図示せず）等もこの間隙を利用している。
【００２３】
以上説明したように、遊技盤本体１１、クリア部材１２が透明であり、レール部１３も透明であれば、これらの積層構造体である遊技盤１０も実質透明である（サイド遮光部１７、１８、下遮光部１９等は除く。）。もちろんレール部１３が不透明であっても、遊技領域４３は、サイド遮光部１７、１８、下遮光部１９等を除き実質透明である。このため、その背後に配されている液晶表示装置６０の表示は遊技盤１０を透かして遊技者に視認される。
【００２４】
液晶表示装置６０のサイズは、遊技領域４３の透明部分（サイド遮光部１７、１８、下遮光部１９等を除く部分）のほぼ全域をカバーしているので、遊技領域４３の背後にて様々な表示を行える。
【００２５】
その遊技領域４３の中央部には区画枠１４によって囲まれ、遊技球が進入できない中央表示域１５が設けられているので、液晶表示装置６０の中央表示域１５に対応する部分では表示が遊技球に邪魔されることがない。従って、この部分で重要な表示、例えば大当たり抽選の結果、確率変動の有無、大当たり遊技中の演出等を表示したり、これらに関連する表示を行えばよい。また、そうした重要な表示でなくても、中央部で見易い表示が行われれば、遊技者がそれを見ながら遊技できる。
【００２６】
このパチンコ機１では、透光性の遊技盤本体１１、遊技盤本体１１の前面に密接配置される透光性のクリア部材１２及び透光性で遊技領域４３の外縁となるガイドレール４２を備えてクリア部材１２を遊技盤本体１１とで挟む位置に配されるレール部１３とで遊技盤１０を構成し、これらを組立てた状態と互いに分離された状態とにできるから、例えば使用に伴って汚れたり摩耗したクリア部材１２だけを新品と交換することができる。勿論、レール部１３も交換できる。遊技盤面の摩耗や汚れに対してはクリア部材１２の交換で対処でき、遊技盤１０全体を交換する必要がないのできわめて経済的かつ省資源である。
【００２７】
透光性の遊技盤１０ではあるが、普通入賞口２１、２２、可変入賞装置２３及び大入賞装置２４が不透明な遮光部１７、１８、１９に取り付けられているので、これらに入賞した遊技球の移動経路は遮光部１７、１８、１９によって隠されてしまい、遊技者には見えなくなる。
【００２８】
従って、入賞球（遊技者に見えない）と遊技領域４３を流下する遊技球（遊技者に見える）とが明瞭に分かれるので、両方が見える場合のように遊技者が混乱するおそれはない。また、入賞球の移動経路が遊技者に見えるということは、いわゆるゴトを行い易くするおそれがあるが、入賞球の移動経路が隠されているからこの問題も発生しない。
【００２９】
さらに、本実施例においては、遊技盤１０と液晶表示装置６０とをそれぞれ独立に外枠２に取り付ける構成を採用しているので、一方だけを交換することができる。つまり、液晶表示装置６０はそのまま使用するものとして、遊技盤１０（遊技制御用の主基板等、遊技盤１０との関係が密接な装置も含めて）を交換することで機種変更（いわゆる面替え）が可能である。従来の面替えでは遊技盤（主基板等も含む）及び表示装置（その制御基板も含む）を交換していたが、それに比べれば表示装置を交換しない分だけ低コスト、省資源となる。
【図面の簡単な説明】
【００３０】
【図１】実施例のパチンコ機の正面図。
【図２】実施例のパチンコ機の正面斜視図。
【図３】実施例のパチンコ機における遊技盤の層構造及び遊技盤と液晶表示装置との位置関係を示す分解斜視図。
【図４】実施例のパチンコ機における遊技釘と釘穴の説明図。
【図５】実施例のパチンコ機において前枠、遊技盤を撤去した状態の正面図。
【図６】実施例のパチンコ機において前面枠等を撤去した状態の正面図。
【図７】実施例のパチンコ機において前面枠等を撤去した状態の正面斜視図。
【図８】図６のＡ−Ｂ断面図。
【図９】実施例のパチンコ機における遊技盤の組立説明図。
【符号の説明】
【００３１】
１・・・パチンコ機（弾球遊技機）、
２・・・外枠、
３・・・前面枠、
１０・・・遊技盤、
１１・・・遊技盤本体、
１２・・・クリア部材（被覆板）、
１３・・・レール部、
１５・・・中央表示域、
１７・・・サイド遮光部、
１９・・・下遮光部、
２１、２２・・・普通入賞口、
２３・・・可変入賞装置、
２４・・・大入賞装置、
２５・・・アウト穴、
２６・・・金属板、
４１・・・ベース、
４２・・・ガイドレール、
４３・・・遊技領域、
６０・・・液晶表示装置。
【図１】
2006020940.tif 000003
【図２】
2006020940.tif 000004
【図３】
2006020940.tif 000005
【図４】
2006020940.tif 000006
【図５】
2006020940.tif 000007
【図６】
2006020940.tif 000008
【図７】
2006020940.tif 000009
【図８】
2006020940.tif 000010
【図９】
2006020940.tif 000011